(57)【特許請求の範囲】
【請求項１】
複数の電話機を接続することが可能で、前記複数の電話機のいずれかから送信された受信セッション開始要求をネットワーク側へ転送セッション開始要求として転送するＩＰ電話対応装置において、
登録電話番号を記憶するための記憶手段と、
前記受信セッション開始要求に含まれる着信先電話番号と一致する登録電話番号が前記記憶手段に記憶されているか否か判定する判定手段と、
前記着信先電話番号と一致する登録電話番号が前記記憶手段に記憶されているとき、前記着信先電話番号に特定番号を付加し、前記転送セッション開始要求に含めて前記ネットワーク側へ転送する転送手段と、
前記転送セッション開始要求に対し、前記ネットワーク側から発信者電話番号非通知を理由とする着信拒否があったことを検出する検出手段と、
発信者電話番号非通知を理由とする着信拒否が検出された場合に、前記受信セッション開始要求に含まれる着信先電話番号を新たな登録電話番号として前記記憶手段に記憶させるか否かの指示入力を促す催促手段と、
前記指示入力に応じて、前記着信先電話番号を前記新たな登録電話番号として前記記憶手段に記憶させる記憶制御手段と、
を備えていることを特徴とするＩＰ電話対応装置。
【請求項２】
請求項１に記載されたＩＰ電話対応装置において、
前記登録電話番号が、「常に特定番号を付加する」及び「一度だけ特定番号を付加する」のいずれかを表す特番付加情報に関連付けられて前記記憶手段に記憶されていることを特徴とするＩＰ電話対応装置。
【請求項３】
請求項１又は２に記載されたＩＰ電話対応装置において、
前記指示入力が、前記着信先電話番号を新たな登録電話番号として記憶させる際に「常に特定番号を付加する」及び「一度だけ特定番号を付加する」のいずれか表す特番付加情報との関連付けを指示するもの、または前記着信先電話番号を新たな登録電話番号として記憶させないものであることを特徴とするＩＰ電話対応装置。
【請求項４】
請求項３に記載されたＩＰ電話対応装置において、
「一度だけ特定番号を付加する」を表す前記特番付加情報に関連付けされた登録電話番号と一致する着信先電話番号に特定番号を付加して前記転送セッション開始要求に含めて前記ネットワーク側へ転送した後、前記記憶制御手段が、前記登録電話番号と当該登録電話番号に関連付けされた前記特番付加情報とを前記記憶手段より削除することを特徴とするＩＰ電話対応装置。
【請求項５】
請求項１乃至４のいずれかに記載されたＩＰ電話対応装置において、
前記受信セッション開始要求が、ＳＩＰプロトコルに基づくＩＮＶＩＴＥメッセージ、又はダイヤルトーンであることを特徴とするＩＰ電話対応装置。
【発明の詳細な説明】
【技術分野】
【０００１】
本発明は、ＩＰ電話対応装置に関し、特に、発信者電話番号非通知を理由とする着信拒否に対応できるＩＰ電話対応装置に関する。
【背景技術】
【０００２】
電話サービスとして、着信側で応答前に発信者の電話番号を知ることができるよう、発信者電話番号を通知するサービス（発信者電話番号通知サービス）がある。このサービスを利用すれば、着信側において、特定の電話番号からの着信だけに応答したり、特定の電話番号からの着信を拒否したりすることができる。
【０００３】
また、回線ごとに発信者電話番号を非通知とするサービス（回線ごと非通知サービス）もある。このサービスを利用すれば、上記の発信者電話番号通知サービスによって無意識のうちに意図しない相手に電話番号が通知されるのを防ぐことができる。
【０００４】
さらに、発信者電話番号を非通知とした着信があった場合に、発信者に対して発信者電話番号を通知するようにして発信し直すように促すサービス（ナンバーリクエストサービス）もある。
【０００５】
上記のようなサービスは、ＩＰ電話サービスにおいても提供されている。
【０００６】
さて、回線ごと非通知サービスを受けている発信元から、ナンバーリクエストサービスを受けている着信先へ発信すると、発信者電話番号を通知するようにして発信し直すよう音声メッセージが流れ、通話回線は切断（着信拒否）される。このような場合、発信者電話番号の通知を一時的に許可する特別な番号（以下、特定番号という）、例えば「１８６」を着信先電話番号に付加して、改めて発信すれば、回線ごと非通知サービスを受けている発信元であっても、一時的に発信者電話番号を通知するようにして発信することができる。
【０００７】
従来、このような着信拒否があった場合に、特定番号を付加した着信先電話番号を簡単な操作でワンタッチダイヤルや短縮ダイヤルに登録できるようにして、その後の利便性を向上させたファクシミリ装置がある（特許文献１）。
【０００８】
【特許文献１】特開２０００−４３１１号公報
【発明の開示】
【発明が解決しようとする課題】
【０００９】
従来のファクシミリ装置に採用された技術は、応答なしの状態が所定回数繰り返された場合に着信拒否されたと判断するよう構成されている。このため、着信応答があるまで周期的に発信を自動的に繰り返すように構成されているファクシミリ装置にしか適用できず、電話機が接続されるＩＰ電話対応装置に、そのまま適用することができないという問題点がある。
【００１０】
また、複数の電話機（ＩＰ電話機含む）がＩＰ電話対応装置に接続されている場合、ある電話機からの発信が発信者電話番号非通知を理由に着信拒否されたとき、その着信電話番号に特定番号を付加した番号を短縮ダイヤル等に登録できるようにしても、同じＩＰ電話対応装置に接続された他の電話機からその短縮ダイヤル等を利用することができないという問題点がある。
【００１１】
そこで、本発明は、複数の電話機を接続することが可能で、一の電話機からの発信が発信者電話番号非通知を理由に拒否された場合に、簡単な操作で、その後、どの電話機からの発信であっても発信者電話番号非通知を理由とする着信拒否を回避することができるＩＰ電話対応装置を提供することを目的とする。
【課題を解決するための手段】
【００１２】
本発明は、上記目的を達成するために、複数の電話機を接続することが可能で、前記複数の電話機のいずれかから送信された受信セッション開始要求をネットワーク側へ転送セッション開始要求として転送するＩＰ電話対応装置において、登録電話番号を記憶するための記憶手段と、前記受信セッション開始要求に含まれる着信先電話番号と一致する登録電話番号が前記記憶手段に記憶されているか否か判定する判定手段と、前記着信先電話番号と一致する登録電話番号が前記記憶手段に記憶されているとき、前記着信先電話番号に特定番号を付加し、前記転送セッション開始要求に含めて前記ネットワーク側へ転送する転送手段と、前記転送セッション開始要求に対し、前記ネットワーク側から発信者電話番号非通知を理由とする着信拒否があったことを検出する検出手段と、発信者電話番号非通知を理由とする着信拒否が検出された場合に、前記受信セッション開始要求に含まれる着信先電話番号を新たな登録電話番号として前記記憶手段に記憶させるか否かの指示入力を促す催促手段と、前記指示入力に応じて、前記着信先電話番号を前記新たな登録電話番号として前記記憶手段に記憶させる記憶制御手段と、を備えていることを特徴とする。
【発明の効果】
【００１３】
本発明によれば、複数の電話機が接続されるＩＰ電話対応装置に、特定番号を付加して発信したい電話番号を登録しておき、セッション開始要求に含まれる着信先電話番号が登録電話番号と一致するとき、自動的に着信先電話番号に特定電番号を付加するようにしたことで、ＩＰ電話対応装置に接続された複数の電話機のいずれから発信を行っても発信者電話番号非通知による着信拒否を回避することができる。
【発明を実施するための最良の形態】
【００１４】
以下、図面を参照して本発明を実施するための最良の形態について説明する。
【００１５】
図１は、本発明の一実施例であるＩＰ電話対応装置１０のブロック図である。図示のＩＰ電話対応装置１０は、ＩＰ電話サービスを利用し、回線の状態を監視して制御回路１の指示により、回線制御を行う回線制御回路２と、ＩＰ電話用として電話機ポートに接続した電話機や、有線／無線ＬＡＮから接続したＩＰ電話端末からＩＰ電話の内線／外線通話時のＳＩＰ（Session Initiation Protocol）の制御を行うＳＩＰ制御回路３と、着信先となるＩＰ電話番号とそのＩＰ電話番号に発信する場合に常に特定番号「１８６」を付加するか、あるいは１回のみ付加するかを意味する特番付加情報とを互いに関連付けて格納するメモリ回路４と、発信者電話番号非通知を理由に着信拒否された際、そのＩＰ電話番号に特番付加情報を関連付けてメモリ回路４に格納するか否かの設定（ＰＢ設定）を促す音声メッセージを流す音声再生回路５と、接続される電話機やＩＰ電話端末からのＰＢ信号を検出するＤＴＭＦ（Dial Tone Multi Frequency）送受信回路６と、制御回路１の指示により起動するタイマー７と、接続した電話機を制御するアナログ制御回路８と、接続したＩＰ電話端末を制御するＩＰ電話端末制御回路９と、このＩＰ電話対応装置全体の制御を行う制御回路１とを備えている。
【００１６】
ＩＰ電話対応装置１０は、制御回路１の制御の下で動作する。例えば、制御回路１は、ＳＩＰ制御回路３に対し、ＳＩＰメッセージの送受信及び解析と、内線／外線の呼管理を指示する。また、制御回路１は、アナログ制御回路８対して、接続された電話機からのＰＢ信号やフック状態の監視、トーン制御や電話機の発信、切断の制御及び接続した電話機の状態管理を指示する。さらに、制御回路１は、ＩＰ電話端末制御回路９に対し、接続されたＩＰ電話端末の有線／無線ＬＡＮの接続状態の監視、ＩＰ電話端末の発信、切断の制御及び接続したＩＰ電話端末の状態管理を指示する。
【００１７】
本実施例では、制御回路１の制御の下、ＳＩＰ制御回路３がセッション開始要求を転送する転送手段として機能する。また、制御回路１が発信者電話番号非通知を理由に着信拒否されたか否か判定する判定手段として、着信者電話番号を登録するか否か指定入力を催促手段として、指定入力に応じて着信策電話番号をメモリ回路に記憶させる記憶制御手段として機能する。
【００１８】
次に、図１のＩＰ電話対応装置１０の動作について、図２乃至図８をも参照して説明する。
【００１９】
図２はＩＰ電話端末の発信から着信拒否による動作終了までの手順を説明するためのＳＩＰシーケンス図、図３は通常処理、切断処理及び設定処理のいずれを実行すべきか決定する動作を説明するためのフローチャート、図４は設定処理の動作を説明するためのフローチャート、図５はメモリ回路４内の格納状態を示す図、図６はＩＰ電話端末の発信要求に応じて特定番号を付加して発信してから通話を確立するまでの手順を説明するためのシーケンス図、図７は発信処理の動作を説明するためのフローチャート、図８は、発信処理後のメモリ回路に対する処理動作を説明するためのフローチャートである。
【００２０】
図２を参照すると、ＩＰ電話対応装置１０は、ＩＰ電話機２０とＳＩＰサーバ３０との間に介在している。
【００２１】
ユーザから発信要求（例えば、「０４−１２３４−２２２２」のダイヤル）があると、ＩＰ電話端末２０は、セッション開始要求として「ＩＮＶＩＴＥ」メッセージＳ２０１をＩＰ電話対応装置１０へ送信（発信）する。
【００２２】
ＩＰ電話対応装置１０では、ＩＰ電話端末２０からの「ＩＮＶＩＴＥ」メッセージＳ２０１をＩＰ電話端末制御回路９で受信し、発信を認識する。「ＩＮＶＩＴＥ」メッセージＳ２０１は、制御回路１を介してＩＰ電話端末制御回路９からＳＩＰ制御回路３へ送られる。ＳＩＰ制御回路３は、受け取った「ＩＮＶＩＴＥ」メッセージＳ２０１に基づき、発信処理を行って「ＩＮＶＩＴＥ」メッセージＳ２１０を生成し、回線制御回路２を介して、転送セッション開始要求としてＷＡＮ側のＳＩＰサーバ３０へ送出する。なお、発信処理については、図７を参照して後述する。
【００２３】
ＳＩＰサーバ３０は、「ＩＮＶＩＴＥ」メッセージＳ２１０を受信すると、着信先への転送を試みると共に、「１００  Ｔｒｙｉｎｇ」メッセージＳ２１１をＩＰ電話対応装置１０へ送信する。
【００２４】
ＩＰ電話対応装置１０は、「１００  Ｔｒｙｉｎｇ」メッセージＳ２１１を受信すると、「１００  Ｔｒｙｉｎｇ」メッセージＳ２０２をＩＰ電話端末２０へ送信する。
【００２５】
さらに、ＳＩＰサーバ３０は、着信先より応答があったことを示す「２００  ＯＫ」メッセージＳ２１２をＩＰ電話対応装置１０へ送信する。
【００２６】
ＳＩＰサーバ３０から「２００  ＯＫ」メッセージを受信したＩＰ電話対応装置１０のＳＩＰ制御回路３は、制御回路１及びＩＰ電話端末制御回路９を介して、ＩＰ電話端末２０に対し「２００  ＯＫ」メッセージＳ２０３を送信する。
【００２７】
ＩＰ電話端末２０は、「２００  ＯＫ」メッセージＳ２０３を受信すると、ＩＰ電話対応装置１０に対して「ＡＣＴ」メッセージＳ２０４を送信する。
【００２８】
ＩＰ電話対応装置１０は、ＩＰ電話端末２０からの「ＡＣＴ」メッセージを受信すると、ＳＩＰサーバ３０に対して「ＡＣＴ」メッセージＳ２１３を送信する。
【００２９】
ここで、ＩＰ電話対応装置１０が回線ごとに発信者電話番号非通知のサービスを受けており、着信先が発信者電話番号非通知の着信を拒否するサービス（ナンバー・リクエスト）を受けているものとすると、ＳＩＰサーバ３０からＩＰ電話端末２０に対して、発信者電話番号を通知して発信し直すよう促す音声メッセージＳ２０５が送信される。ＳＩＰサーバ３０は、音声メッセージを送出した後、ＩＰ電話対応装置１０へ「ＢＹＥ」メッセージＳ２１４を送信する。
【００３０】
ＩＰ電話対応装置１０は、ＳＩＰサーバ３０からの「ＢＹＥ」メッセージを受け取ると、ＳＩＰサーバ３０に対して「ＡＣＴ」メッセージＳ２１５を送信する。
【００３１】
この後、ＩＰ電話対応装置１０とＩＰ電話端末２０との間で、後述する設定処理Ｓ２０６が行われる。
【００３２】
それから、ＩＰ電話対応装置１０は、切断処理Ｓ２０７として、「ＢＹＥ」メッセージＳ２０８をＩＰ電話端末２０へ送信する。そして、「ＢＹＥ」メッセージＳ２０８を受信したＩＰ電話端末２０は、「ＯＫ」メッセージＳ２０９をＩＰ電話対応装置１０へ送信する。
【００３３】
以上が、ＩＰ電話端末２０の発信から着信拒否による動作終了までの手順である。
【００３４】
なお、ＩＰ電話端末２０ではなく、アナログ制御回路８（電話機ポート）に接続された電話機からの発信の場合、着信先電話番号がダイヤルされたこと（発信）をアナログ制御回路８が認識し、制御回路１の制御の下、ＳＩＰ制御回路３がＳＩＰサーバ３０へ「ＩＮＶＩＴＥ」メッセージＳ２１０を送信する。即ち、ダイヤルトーンがセッション開始要求となる。
【００３５】
そして、ＳＩＰサーバ３０から、「１００  Ｔｒｙｉｎｇ」メッセージＳ２１１及び「２００  ＯＫ」メッセージＳ２１２を受信すると、ＩＰ電話対応装置１０は、ＳＩＰサーバ３０へ「ＡＣＴ」メッセージＳ２１３を送信する。「ＩＮＶＩＴＥ」メッセージＳ２０１、「１００  Ｔｒｙｉｎｇ」メッセージＳ２０２、「２００  ＯＫ」メッセージＳ２０３、「ＡＣＴ」メッセージＳ２０４の送受信は行われない。
【００３６】
発信者電話番号非通知による着信拒否か否かの判定については、電話機の場合もＩＰ電話端末２０の場合と同じである。また、「ＢＹＥ」メッセージＳ２０８及び「ＯＫ」メッセージＳ２０９の送受信も行われず、ＩＰ電話対応装置１０は、切断処理Ｓ２０７としてビジートーンを電話機へ送信し、電話機のオンフックを検出したならばパスを切断する。
【００３７】
上述した図２に示す手順では、設定処理Ｓ２０６を行っている。しかし、発信があった場合、ＩＰ電話対応装置１０は、設定処理Ｓ２０６を行う場合のほか、通常処理を行う場合と切断処理を行う場合とがある。ＩＰ電話対応装置１０が、通常処理、切断処理及び設定処理のいずれを行うべきか判断する動作について図３を参照して説明する。
【００３８】
ＩＰ電話対応装置１０のＳＩＰ制御回路３は、ＳＩＰサーバ３０から「１００  Ｔｒｙｉｎｇ」メッセージＳ２１１を受信した後、ステップ３０１で「２００  ＯＫ」メッセージＳ２１２を受信したか否か判定する。
【００３９】
ここで、「２００  ＯＫ」メッセージＳ２１２を受信していないと判定されるのは、「２００  ＯＫ」メッセージＳ２１２以外のメッセージを受信した場合である。その場合、受信したメッセージしたがって通常処理が行われる。例えば、「１８０  Ｒｉｎｇｉｎｇ」メッセージを受信した場合は、着信先電話番号に対応する電話機を呼出中であり、相手が応答することにより、通話中となる（後述する図６のシーケンスと同じ）。また、着信先電話番号が使用されていない場合には、「１８３  Ｓｅｓｓｉｏｎ  Ｐｒｏｇｒｅｓｓ」メッセージを受信し、さらに「４８７  Ｒｅｑｕｅｓｔ  Ｔｅｒｍｉｎａｔｅｄ」メッセージを受信し、切断される。
【００４０】
ステップ３０１で「２００  ＯＫ」メッセージＳ２１２を受信したと判定された場合、ＳＩＰ制御回路３は、ＩＰ電話端末２０からの「ＡＣＴ」メッセージＳ２０４を受けて、ステップ３０２で「ＡＣＫ」メッセージＳ２１３をＳＩＰサーバ３０に送信する。また、制御回路１は、ステップ３０３でタイマー７を起動させる。
【００４１】
次に、「ＢＹＥ」メッセージＳ２１４を受信することなく、ステップ３０４でＰＢ信号を検出する等の状態変化があると、制御回路１は、その状態変化にしたがって通常処理を行う。
【００４２】
例えば、ＩＰ電話サービスにおける転送サービス（ボイスワープ）を利用するために各種設定を行う場合、ＩＰ電話端末１０からのＰＢ信号が入力されるので、ＤＴＭＦ送受信回路６によりＰＢ信号を受信すると、制御回路１は、それに応じた通常処理を行う。
【００４３】
ステップ３０４で「ＢＹＥ」メッセージＳ２１４を受信したならば、制御回路１は、ステップ３０５でタイマー７を確認し、所定時間範囲内（例えば、２６秒から２８秒の間）であれば、発信者電話番号非通知による着信拒否であると判断して、ステップ３０６でタイマー７を停止させ、設定処理Ｓ２０６を実行する。一方、ステップ３０４で「ＢＹＥ」メッセージＳ２１４を受信したのが、所定時間範囲外の場合は、制御回路１は、切断処理を実行する。
【００４４】
ステップ３０５において、「ＢＹＥ」メッセージＳ２１４を受信した時間に基づいてその後の処理を決定するのは、以下の理由による。
【００４５】
着信先がＩＰ電話サービスの付加サービスであるナンバー・リクエストに契約し、実行されている場合でかつ、ＩＰ電話対応装置１０が回線ごとに発信者電話番号非通知の契約をしている回線に接続されている場合、ＳＩＰサーバ３０が、「ＡＣＫ」メッセージＳ２１３を受信してから、音声メッセージＳ２０５を流し、「ＢＹＥ」メッセージＳ２１４を送信するまでの時間は、例えば、２７秒に予め定められている。また、ＩＰ電話サービス契約をしていない電話機からＩＰ電話サービスを受ける着信先電話番号への発信を行った場合、ＳＩＰサーバ３０が、音声メッセージＳ２０５とは異なる音声メッセージ、例えば、「お客様のおかけになった電話からはこのサービスはご利用できません」という音声メッセージを送出した後、「ＢＹＥ」メッセージＳ２１４を送出するまでの時間は、例えば、７秒である。したがって、ＩＰ電話対応装置１０では、「ＡＣＫ」メッセージＳ２１３を送信してから、「ＢＹＥ」メッセージＳ２１４を受信するまでの時間を計測することにより、音声メッセージＳ２０５が送出されたか否かを判断することができる。なお、音声メッセージＳ２０５は、例えば、「おそれいりますが、電話番号の前に１８６をつけてダイヤルするなど、あなたの電話番号を通知しておかけ直しください」というメッセージを２回繰り返すものである。
【００４６】
続いて、図４を参照して、設定処理Ｓ２０６について説明する。
【００４７】
まず、制御回路１は、ステップ４０１で、先にステップ３０６で停止させたタイマー７を再び（クリア後）起動する。
【００４８】
続いて、制御回路１は、音声再生回路５とＩＰ電話端末１０との間に音声パスを形成し、ステップ４０２で、ＩＰ電話端末１０のユーザに対し、ＰＢ信号の入力を促す音声ガイダンスを流す。音声ガイダンスは、音声再生回路５により再生され、例えば、「電話番号の前に特定番号（１８６）を依頼されましたか。この電話番号に１回自動的に特定番号（１８６）をつけて発信したい場合は、＊１を入力してください。この電話番号に常に特定番号（１８６）をつけて発信したい場合は＊０を入力してください。何も設定しない場合は＊＊を入力して下さい。ＩＰ電話端末からの発信も同様に１８６をつけての発信になります」といったものである。
【００４９】
次に、制御回路１は、音声ガイダンスに応じてユーザがＩＰ電話端末１０より入力するＰＢ信号を監視し、ステップ４０３で、ＰＢ信号が入力されたか否か判断する。
【００５０】
所定時間内にＰＢ信号が検出されると、制御回路１は、ステップ４０４で、ＤＴＭＦ送受信回路６を用いて入力されたＰＢ信号を識別する。
【００５１】
ＰＢ信号として、上述した例のうち「＊１」や「＊０」が入力されたと判断した場合、制御回路１は、ステップ４０５で、メモリ回路４内に着信先電話番号とＰＢ信号の内容に対応する特番付加情報とを関連付けて格納（登録）する。そして、制御回路１は、ステップＳ４０６でタイマー７を停止させ、切断処理Ｓ２０７へ進む。
【００５２】
図５にメモリ回路４内の格納状態の一例を示す。着信先電話番号は、ＩＰ電話対応装置１０がＩＰ電話端末２０から「ＩＮＶＩＴＥ」メッセージＳ２０１を受信したとき、受信したメッセージから抽出して一時的にメモリ回路４の所定領域に格納される。ステップ４０４で登録を指示する「＊１」や「＊０」が検出されると、着信先電話番号は登録領域に移される。また、ステップ４０４で検出されたＰＢ信号が「＊０」の場合、今後、その着信先電話番号への発信は常に特定番号「１８６」を付加して行うことを示す特番付加情報「ＯＮ」が関連付けて登録される。また、ステップ４０４で検出されたＰＢ信号が「＊１」の場合、次回、その着信先電話番号へ発信するとき１回だけ特定番号「１８６」を付加して行うことを示す特番付加情報「ＯＦＦ」が関連付けて登録される。図５では、着信先電話番号が「０４−１２３４−１１１１」のとき、ステップ４０４で「＊０」がＰＢ入力され、着信先電話番号が「０４−１２３４−２２２２」のとき、ステップ４０４で「＊１」がＰＢ入力された場合のメモリ回路４内の格納状態を示している。
【００５３】
図４を再び参照すると、ステップ４０４で、ＰＢ信号として、上述した例のうち「＊＊」が入力されたと判断した場合、制御回路１は、ステップ４０６へジャンプする。このとき、メモリ回路４に一時保管されていた今回の発信先である着信先電話番号は削除される。
【００５４】
ステップ４０３でＰＢ信号が検出されることなく、ステップ４０７で所定時間が経過したと判断された場合、制御回路１は切断処理Ｓ２０７を行う。
【００５５】
なお、ＩＰ電話端末１０ではなくアナログ制御回路８（電話機ポート）に接続された電話機から発信した場合も、設定処理Ｓ２０６は同様に行われる。
【００５６】
続いて、図６を参照して、メモリ回路４に登録された着信先電話番号へ発信する場合の手順を説明する。ここでは、メモリ回路４内の格納情報が図５のようなものであって、着信先電話番号「０４−１２３４−２２２２」へ発信するものとする。
【００５７】
ユーザの発信要求によりＩＰ電話端末２０は、「ＩＮＶＩＴＥ  ｓｉｐ：０４１２３４２２２２」メッセージＴ５０１をＩＰ電話対応装置１０へ送信する。
【００５８】
ＩＰ電話対応装置１０では、ＩＰ電話端末制御回路９が発信を認識し、ＳＩＰ制御回路３は、制御回路１を介して「ＩＮＶＩＴＥ  ｓｉｐ：０４１２３４２２２２」メッセージＴ５０１を受信する。
【００５９】
「ＩＮＶＩＴＥ  ｓｉｐ：０４１２３４２２２２」メッセージＴ５０１を受信したＳＩＰ制御回路４は、後述する発信処理を実行し、メモリ回路４に着信先電話番号として「０４−１２３４−２２２２」が登録されていると判断すると、その先頭に特定番号「１８６」を付加し、「ＩＮＶＩＴＥ  ｓｉｐ：１８６０４１２３４２２２２」メッセージＴ５０７を生成して、ＳＩＰサーバ３０へ送信する。
【００６０】
ＳＩＰサーバ３０は、「ＩＮＶＩＴＥ  ｓｉｐ：１８６０４１２３４２２２２」メッセージＴ５０７を受信すると、「１００  Ｔｒｙｉｎｇ」メッセージＴ５０８をＩＰ電話対応装置１０へ送信する。また、「１８０  Ｒｉｎｇｉｎｇ」メッセージＴ５０９をＩＰ電話対応装置１０へ送信する。
【００６１】
ＩＰ電話対応装置１０は、ＳＩＰサーバ３０より「１００  Ｔｒｙｉｎｇ」メッセージＴ５０８を受け取ると、メッセージに含まれる着信先電話番号の先頭に付加されている特定番号「１８６」を削除し、「１００  Ｔｒｙｉｎｇ」メッセージＴ５０２としてＩＰ電話端末２０へ送信する。また、ＩＰ電話対応装置１０は、ＳＩＰサーバ３０より「１８０  Ｒｉｎｇｉｎｇ」メッセージＴ５０９を受け取ると、「１８０  Ｒｉｎｇｉｎｇ」メッセージＴ５０３としてＩＰ電話端末２０へ送信する。
【００６２】
ＩＰ電話端末２０は、ＩＰ電話対応装置１０からの「１８０  Ｒｉｎｇｉｎｇ」メッセージＴ５０３を受信すると、「２００  ＯＫ」メッセージＴ５０４をＩＰ電話対応装置１０へ送信する。
【００６３】
ＩＰ電話対応装置１０は、ＩＰ電話端末からの「２００  ＯＫ」メッセージＴ５０４を受信すると、そのメッセージ含まれる着信先電話番号に特定番号「１８６」を追加して「２００  ＯＫ」メッセージＴ５１０を生成し、ＳＩＰサーバ３０へ送信する。
【００６４】
ＳＩＰサーバ３０は、「２００  ＯＫ」メッセージＴ５１０を受信すると、「ＡＣＴ」メッセージＴ５１１をＩＰ電話対応装置１０へ送信する。
【００６５】
「ＡＣＴ」メッセージＴ５１１を受信すると、ＩＰ電話対応装置１０は、受信したメッセージに含まれる着信先電話番号の先頭に付加されている特定番号「１８６」を削除し、「ＡＣＴ」メッセージＴ５０５としてＩＰ電話端末２０へ送信する。これにより、通信が確立される（Ｔ５０６）。
【００６６】
電話機ポート（アナログ制御回路８）に接続された電話機からの発信の場合、着信先電話番号がダイヤルされたことにより、ＩＰ電話対応装置１０のアナログ制御回路８が発信（セッション確立要求）を認識する。そして、制御回路１の制御の下、ＳＩＰ制御回路３はダイヤルされた着信先電話番号「０４−１２３−２２２２」の先頭に特定番号「１８６」を付加した「ＩＮＶＩＴＥ  ｓｉｐ：１８６０４１２３２２２２」メッセージＴ５０７を生成して、転送セッション確立要求としてＳＩＰサーバ３０へ送信する。その後、ＳＩＰサーバ３０は、「１００  Ｔｒｙｉｎｇ」メッセージＴ５０８及び「１８０  Ｒｉｎｇｉｎｇ」メッセージＴ５０９を送信する。ＩＰ電話対応装置１０は、「１００  Ｔｒｙｉｎｇ」メッセージＴ５０２及び「１８０  Ｒｉｎｇｉｎｇ」メッセージＴ５０３を電話機に対して送信することなく、ＳＩＰサーバ３０に対して「２００  ＯＫ」メッセージＴ５１０を送信する。また、ＳＩＰサーバ３０は、「ＡＣＴ」メッセージＴ５１１をＩＰ電話対応装置１０へ送信する。ＩＰ電話対応装置１０は、「ＡＣＴ」メッセージＴ５０５を電話機へ送信しない。電話機とＩＰ電話対応装置１０との間の通信はアナログ制御回路８の制御により行われる。
【００６７】
次に、図７を参照して発信処理について説明する。
【００６８】
ＩＰ電話対応装置１０は、ステップ６０１で「ＩＮＶＩＴＥ」メッセージＴ５０１を受信すると、そのメッセージに含まれる着信先電話番号を読み出し、メモリ回路４に一時保管する。そして、ＩＰ電話対応装置１０は、メモリ回路４を検索し、読み出した着信先電話番号に一致する着信先電話番号が登録されているか否か判断する。
【００６９】
受信メッセージから読み出した着信先電話番号に一致する着信先電話番号がメモリ回路４に登録されている場合、ＩＰ対応電話装置１０のＳＩＰ制御回路３は、ステップ６０３で、着信先電話番号の先頭に特定番号「１８６」を追加し、「ＩＮＶＩＴＥ」メッセージＴ５０７としてＳＩＰサーバ３０へ送信する。
【００７０】
受信メッセージから読み出した着信先電話番号に一致する着信先電話番号がメモリ回路４に登録されていない場合、通常の発信処理が行われる。即ち、ＩＰ電話対応装置１０は、受信した「ＩＮＶＩＴＥ」メッセージに特定番号「１８６」を追加することなくＳＩＰサーバ３０へ送信する。また、ＩＰ電話対応装置１０は、「２００  ＯＫ」メッセージＴ５０４を受信したとき、特定番号「１８６」を追加することなく「２００  ＯＫ」メッセージＴ５１０としてＳＩＰサーバ３０へ送信する。
【００７１】
次に、図８を参照して通話確立後のメモリ回路４内の格納情報の整理動作について説明する。
【００７２】
通信が確立した後、制御回路１は、ステップ７０１でメモリ回路４に一時保管されている着信先電話番号を読み出す。そして、制御回路１は、ステップ７０２で、読み出した着信先電話番号に一致する着信先電話番号が特番付加情報「ＯＦＦ」ともにメモリ回路４に登録されているか否か判断する。
【００７３】
読み出した着信先電話番号に一致する着信先電話番号が特番付加情報「ＯＦＦ」ともにメモリ回路４に登録されている場合、制御回路１は、ステップ７０３でその着信先電話番号及び特番付加情報「ＯＦＦ」を削除（クリア）する。
【００７４】
ここでは、着信先電話番号「０４−１２３４−２２２２」へ発信したので、通話確立した後、制御回路１は、メモリ回路４に登録された着信先電話番号「０４−１２３４−２２２２」及び特番付加情報「ＯＦＦ」を削除する。この結果、次に着信先電話番号「０４−１２３４−２２２２」へ発信する際には、ＩＰ電話対応装置１０は、特定番号「１８６」を付加せずにＳＩＰサーバ３０への「ＩＮＶＩＴＥ」メッセージの送信が行われる。これは、例えば、注文受付サービスなどへ発信する場合のように、ナンバーリクエストサービスを受けている着信先へ１度だけ発信したい場合を想定したものである。
【００７５】
ステップ７０２で、読み出した着信先電話番号に一致する着信先電話番号が特番付加情報「ＯＦＦ」ともにメモリ回路４に登録されていないと判定された場合、制御回路１は、一時保管した着信先電話番号をクリアし、動作を終了する。
【００７６】
発信処理及びメモリ回路４内の格納情報の整理動作については、アナログ制御回路８に接続された電話機からの発信の場合も、上記と同様にして行われる。
【００７７】
以上説明したように、本実施例のＩＰ電話対応装置１０では、発信者電話番号非通知により着信拒否された場合、簡単なＰＢ入力により、そのときの着信先電話番号と特番付加情報とを高いに関連付けて、メモリ回路４に登録することができる。これにより、以後、ＩＰ電話対応装置１０に接続されたどのＩＰ電話端末（又は電話機）からの発信であっても、メモリ回路４に登録された着信先電話番号への発信であれば、特定番号「１８６」を付加され、発信者電話番号非通知による着信拒否を回避することができる。
【００７８】
なお、本発明は上記実施例に限定されるものではなく、本発明の範囲内で種々の変更が可能である。例えば、上記実施例では、音声再生回路５からＰＢ入力を促す音声メッセージを流すようにしたが、ＩＰ電話端末や電話機のＬＣＤパネル等の表示器に表示させるようにしてもよい。また、ＩＰ電話対応装置１０に入力部を設け、その入力部から入力するようにしてもよい。
【図面の簡単な説明】
【００７９】
【図１】本発明の一実施例であるＩＰ電話対応装置１０のブロック図である。
【図２】ＩＰ電話端末の発信から着信拒否による動作終了までの手順を説明するためのＳＩＰシーケンス図である。
【図３】ＩＰ電話対応装置１０における、通常処理、切断処理及び設定処理のいずれを実行すべきか決定する動作を説明するためのフローチャートである。
【図４】ＩＰ電話対応装置１０における設定処理の動作を説明するためのフローチャートである。
【図５】ＩＰ電話対応装置１０のメモリ回路４内の格納状態を示す図である。
【図６】ＩＰ電話端末の発信要求に応じて特定番号を付加して発信してから通話を確立するまでの手順を説明するためのシーケンス図である。
【図７】ＩＰ電話対応装置１０における発信処理の動作を説明するためのフローチャートである。
【図８】ＩＰ電話対応装置１０における発信処理後のメモリ回路に対する処理動作を説明するためのフローチャートである。
【符号の説明】
【００８０】
１    制御回路
２    回線制御回路
３    ＳＩＰ制御回路
４    メモリ回路
５    音声再生回路
６    ＤＴＭＦ送受信回路
７    タイマー
８    アナログ制御回路
９    ＩＰ電話端末制御回路
１０  ＩＰ電話対応装置
【図１】
0005019211.tif 000002
【図２】
0005019211.tif 000003
【図３】
0005019211.tif 000004
【図４】
0005019211.tif 000005
【図５】
0005019211.tif 000006
【図６】
0005019211.tif 000007
【図７】
0005019211.tif 000008
【図８】
0005019211.tif 000009